【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
ＨＤＭＩネットワークのためのネットワーク装置であって、
ＩＰ通信ケイパビリティ（capability）、及びＣＥＣ（Consumer  Electronics  Control）通信ケイパビリティを提供するように構成されたネットワークコントローラと、
前記ＨＤＭＩネットワーク装置についての情報、及び前記ネットワーク装置各々の一意の識別子を含むデータベースを生成するように構成されたデータベース生成ユニットと、
を含む、ネットワーク装置。
【請求項２】
前記一意の識別子は、前記ネットワークコントローラに割り当てられたＭＡＣアドレスである、請求項１のネットワーク装置。
【請求項３】
前記情報は、ネットワークアドレスを含む、請求項１又は２のネットワーク装置。
【請求項４】
前記情報は、ユーザにより課された前記ネットワーク装置の動作についての情報を含む、請求項１、２又は３のネットワーク装置。
【請求項５】
前記情報は、前記ネットワーク装置に割り当てられたプリファレンス（preferences）についての情報を含む、請求項１、２、３又は４のネットワーク装置。
【請求項６】
ユーザにより課された前記ネットワーク装置の各デバイス動作を検知するように構成された検知ユニットと、
前記検知されたデバイス動作に基づいてデータレコードを生成するように構成された前記生成ユニットと、
前記データベースに前記データレコードを格納するように構成された格納ユニットと、
を含む、請求項４のネットワーク装置。
【請求項７】
前記データレコードは、前記ネットワークのネットワークアドレス、前記検知された動作のインディケーション（indication）、及び前記動作が検知された日付／時刻を含む、請求項６のネットワーク装置。
【請求項８】
前記データレコードは、前記動作に関係する、前記ネットワーク内の前記ネットワーク装置のネットワークアドレスを含む、請求項６または７のネットワーク装置。
【請求項９】
前記ネットワークアドレスは、前記ＨＤＭＩ仕様書によるアドレスと、前記ネットワーク内で前記ネットワーク装置を一部とするサブネットワークを識別するサブネットワーク識別子とを含む、請求項７又は８のネットワーク装置。
【請求項１０】
前記データベースを評価するように構成された評価ユニットと、
前記データベースの前記評価に応じて動作オプションを提供するように構成された動作オプションユニットと、
を含む、請求項１〜９のいずれかのネットワーク装置。
【請求項１１】
前記データレコードは、前記動作を課す前記ユーザについての情報をさらに含む、請求項６〜９のいずれかのネットワーク装置。
【請求項１２】
ユーザを識別するように構成されたユーザ識別ユニットを含む、請求項１１のネットワーク装置。
【請求項１３】
前記ユーザ識別ユニットは、カメラユニット及び顔認識ユニットを含む、請求項１２のネットワーク装置。
【請求項１４】
前記データベースを、前記ネットワーク内の他のネットワーク装置の他のデータベース各々と同期化するように構成された同期化ユニットを含む、請求項１〜１３のいずれかのネットワーク装置。
【請求項１５】
前記同期化ユニットは、同期化のために前記イーサネット又はＣＥＣ通信ケイパビリティを使用する、請求項１４のネットワーク装置。
【請求項１６】
前記ネットワーク装置は、ＴＶセット、ブルーレイプレイヤ、ＤＶＤ装置、ＡＶレシーバ、ビデオレコーダー装置、ＭＰ３プレイヤ、パーソナルコンピュータ、モバイル装置（ＰＤＡ）、スマートホン、タブレット、又は前記ＨＤＭＩネットワークに接続された任意の他の装置のうちの１つである、請求項１〜１５のいずれかのネットワーク装置。
【請求項１７】
請求項１〜１６のいずれかで定義された少なくとも２つのネットワーク装置を含む、ＨＤＭＩネットワーク。
【請求項１８】
特定のネットワーク装置（ソース）の動作を示す第１の情報と、
前記特定のネットワーク装置のネットワークアドレスを示す第２の情報と、
前記動作の時刻及び日付を示す第３の情報と、
前記ネットワーク装置の一意の識別子を示す第４の情報と、
を含む、請求項１〜１６のいずれかで定義されたネットワーク装置のメモリに格納されたデータテーブル。
【請求項１９】
前記一意の識別子は、ＭＡＣアドレスである、請求項１８のデータテーブル。
【請求項２０】
ＨＤＭＩネットワークにおけるオーディオ、ビデオ及びデータストリームを制御し、及び再ルーティングするための方法であって、
前記ＨＤＭＩネットワークのネットワーク装置についての情報、及び前記ネットワーク装置各々の一意の識別子を含むデータベースを生成するステップを含む方法。
【請求項２１】
前記一意の識別子は、前記ネットワーク装置各々のＭＡＣアドレスである、請求項２０の方法。
【請求項２２】
前記情報は、ネットワークアドレスを含む、請求項２０又は２１の方法。
【請求項２３】
前記情報は、ユーザにより課された前記ネットワーク装置の動作についての情報を含む、請求項２０、２１又は２２の方法。
【請求項２４】
前記情報は、前記ネットワーク装置に割り当てられたプリファレンス（preferences）についての情報を含む、請求項２０、２１、２２又は２３の方法。
【請求項２５】
ユーザにより課されたネットワーク装置の動作を検知するステップと、
前記検知されたネットワーク装置の動作に基づいてデータレコードを生成するステップと、
前記データベースに前記データレコードを格納するステップと、
を含む、請求項２３の方法。
【請求項２６】
前記データレコードには、前記ネットワーク装置のネットワークアドレス、前記ネットワーク装置のＭＡＣアドレス、前記検知された動作のインディケーション、及び前記動作が検知された日付及び時間が入れられる、請求項２５の方法。
【請求項２７】
前記データレコードには、前記動作に関係する、前記ネットワーク内の各ネットワーク装置の前記ネットワークアドレスが入れられる、請求項２６の方法。
【請求項２８】
前記データベースを評価するステップと、
前記評価するステップに応じて動作オプションを提供するステップと、
を含む、請求項２０〜２７のいずれかの方法。
【請求項２９】
ネットワーク装置の前記データベースを、前記ネットワーク内の他のネットワーク装置のデータベース各々と同期化するステップを含む、請求項２０〜２８のいずれかの方法。
【請求項３０】
前記データベースに格納されたデータに基づいて、一のネットワーク装置から他のネットワーク装置へのオーディオ、ビデオ及び／又はデータストリームを再ルーティングするステップを含む、請求項２０〜２９のいずれかの方法。
【請求項３１】
ストリーミングのためのソースまたはシンクネットワーク装置として選択するために、ユーザに前記ネットワーク装置のリストを提示するステップを含み、前記リストは、前記データベースに基づいて生成される、請求項２０〜３０のいずれかの方法。
【請求項３２】
動作を課すユーザを識別するステップを含む、請求項２０〜３１のいずれかの方法。
【請求項３３】
前記データベースにさらなる情報を追加するステップを含み、
前記情報は、ユーザを識別する情報を含む、請求項３２の方法。
【請求項３４】
ユーザ識別子に基づいて動作オプションを提供するステップを含む、請求項３２又は３３のいずれかの方法。